(57)【要約】【課題】太陽電池モジュールが設置される敷地の有効活用を図るとともに、取付架台における支持強度を高める。【解決手段】太陽電池モジュール１の取付架台１０は、支柱２２が梁２３よりも上方に突出させて設けられている。梁２３は、支柱２２の途中部に接合されている。支柱２２の上部から梁２３の方向には、第一斜め支持部材２５が備えられている。第一斜め支持部材２５は、その上部が支柱２２の上部に接合され、その下部が梁２３の長手方向の途中部に接合されており、梁２３の上方に傾斜状態で設けられてトラスを構成している。【選択図】図１
2020054017.tif 000002
【特許請求の範囲】
【請求項１】
設置面に立設される複数の支柱と、隣り合う前記支柱間に配設され前記支柱に直交する第一支持部材を備える太陽電池モジュールの取付架台であって、
前記支柱は前記第一支持部材より上方に突出させて設けられ、
前記第一支持部材は前記支柱に接合され、
前記支柱の上部から前記第一支持部材の方向に延びる第一斜め支持部材が備えられ、
前記第一斜め支持部材は、上部が前記支柱の上部に、下部が前記第一支持部材の長手方向の途中部に接合されて、前記第一支持部材の上方に傾斜した状態で設けられていることを特徴とする太陽電池モジュールの取付架台。
【請求項２】
請求項１に記載の太陽電池モジュールの取付架台において、
隣り合う前記支柱間に第二斜め支持部材を備え、
前記第二斜め支持部材は、前記第一支持部材と交差する方向に配設され、前記支柱の高さ方向の途中部であって前記第一支持部材の高さ以上の高さ位置に接合されて、複数の支柱間に傾斜した状態で配設されていることを特徴とする太陽電池モジュールの取付架台。
【請求項３】
請求項２に記載の太陽電池モジュールの取付架台において、
前記第二斜め支持部材は、隣り合う前記支柱間に複数配設されて、前記第一支持部材よりも上方の高さ位置で互いに交差するように設けられていることを特徴とする太陽電池モジュールの取付架台。
【請求項４】
請求項１〜３のいずれか一つの請求項に記載の太陽電池モジュールの取付架台において、
前記第一斜め支持部材上に、前記太陽電池モジュールが取り付けられることを特徴とする太陽電池モジュールの取付架台。
【請求項５】
請求項４に記載の太陽電池モジュールの取付架台において、
前記第一斜め支持部材に交差させて、前記太陽電池モジュールを支持する横桟が配設されていることを特徴とする太陽電池モジュールの取付架台。
【請求項６】
請求項５に記載の太陽電池モジュールの取付架台において、
前記横桟は、隣り合う前記第一斜め支持部材間に架設され、前記斜め支持部材上に複数が平行に配設されていることを特徴とする太陽電池モジュールの取付架台。
【請求項７】
請求項１〜６のいずれか一つの請求項に記載の太陽電池モジュールの取付架台において、
前記設置面と、前記第一支持部材との間に少なくとも１．５ｍの高さを有する下部空間が設けられていることを特徴とする太陽電池モジュールの取付架台。
【請求項８】
請求項１〜７のいずれか一つの請求項に記載の太陽電池モジュールの取付架台に複数の太陽電池モジュールを固定して構成された太陽光発電システム。
【発明の詳細な説明】
【技術分野】
【０００１】
本発明は、太陽電池モジュールの取付架台、およびそれを用いた太陽光発電システムに関する。
【背景技術】
【０００２】
再生可能エネルギーへの評価が高まるにつれて太陽光発電システムへの関心が高まっている。太陽光発電システムとしては、住宅の屋根等に太陽電池モジュールを設置する小規模のものから、遊休地等に多数の太陽電池モジュールを設置して発電を行うような大規模のものまで様々な形態のものが実施されている。また、いわゆるソーラーシェアリングという考え方のもと、例えば農業用地に設置されたビニルハウスの屋根や側面に太陽電池パネルを設置することで、農作物を栽培しながらも太陽光発電を行うといった試みもなされてきている。
【０００３】
特許文献１には、太陽電池モジュール群の下に除草作業や農作業を行うことができる空間を有する太陽光発電装置について開示されている。この種の太陽光発電システムでは、遊休地等に設置されていた従来の太陽電池モジュールの架台の柱部材を、高さ方向に長く延長させた構造の架台が用いられている。例えば、図１０に示すように、高さを有する柱部材１０２と横架材１０３とが接合されて、作業のための下部空間１０５が形成され、柱部材１０２と横架材１０３とが交差する隅部に斜め材１０４が接合されて、高さを有する架台１０１の強度が担保されている。
【先行技術文献】
【特許文献】
【０００４】
【特許文献１】特開２０１５−２１６７６６号公報
【発明の概要】
【発明が解決しようとする課題】
【０００５】
前記従来の架台１０１の構造であると、横架材１０３の下方に斜め材１０４が配設されており、柱部材１０２に高さを有するとはいえ、下部空間１０５を狭める要因となっていた。特に、架台１０１が農業用地に設置されたものであると、作業のために人の通行だけでなく農業用機械なども走行することとなる。そうすると、横架材１０３の下方にある斜め材１０４が障害物となるので、農業用機械と斜め材１０４とが干渉しないように、斜め材１０４を高い位置に設けて、下部空間１０５の高さを確保しなければならなかった。
【０００６】
下部空間１０５に高さを確保しようとすると、当然、柱部材１０２にも高さが必要となる。柱部材１０２が高さを有するものであると、柱部材１０２同士の配置間隔を狭くしたり、柱部材１０２の断面寸法を大きくしたりして支持強度を確保しなければならず、大幅なコスト高を招き、設置作業も困難になるという問題点があった。また、横架材１０３と斜め材１０４とで囲われた上部空間１０６はデッドスペースとなってしまい、太陽光発電システムとして大型化を招き、好ましいものではなかった。
【０００７】
本発明は、前記従来の問題点にかんがみてなされたものであり、太陽電池モジュールの下部空間の有効活用を図るとともに、取付架台における強度を確保し、部品点数を増加させることなくコスト低減を図ることが可能な太陽電池モジュールの取付架台およびそれを用いた太陽光発電システムを提供することを目的とする。
【課題を解決するための手段】
【０００８】
前記の目的を達成するための本発明の解決手段は、設置面に立設される複数の支柱と、隣り合う前記支柱間に配設され前記支柱に直交する第一支持部材を備える太陽電池モジュールの取付架台であって、前記支柱は前記第一支持部材より上方に突出させて設けられ、前記第一支持部材は前記支柱に接合され、前記支柱の上部から前記第一支持部材の方向に延びる第一斜め支持部材が備えられ、前記第一斜め支持部材は、上部が前記支柱の上部に、下部が前記第一支持部材の長手方向の途中部に接合されて、前記第一支持部材の上方に傾斜した状態で設けられることを特徴としている。
【０００９】
この特定事項により、前記第一支持部材の上方において、前記第一斜め支持部材が前記支柱と前記第一支持部材によってトラスを構成し、前記第一支持部材に沿う方向の支持強度を高めることが可能となる。また、前記第一斜め支持部材は、前記第一支持部材の上方に設けられるので、前記第一支持部材の下方の空間を広く確保することが可能となる。
【００１０】
前記太陽電池モジュールの取付架台における、より具体的な構成として次のものが挙げられる。すなわち、前記構成の太陽電池モジュールの取付架台において、隣り合う前記支柱間に第二斜め支持部材を備え、前記第二斜め支持部材は、前記第一支持部材と交差する方向に配設され、前記支柱の高さ方向の途中部であって前記第一支持部材の高さ以上の高さ位置に接合されて、複数の支柱間に傾斜した状態で配設されていることが好ましい。
【００１１】
これにより、前記取付架台における前記第一支持部材に交差する方向の支持強度が高められる。また、前記第二斜め支持部材は前記第一支持部材よりも上方に設けられるので、前記第一支持部材の下方の空間を広く確保することが可能となる。
【００１２】
また、前記太陽電池モジュールの取付架台において、前記第二斜め支持部材は、隣り合う前記支柱間に複数配設されて、前記第一支持部材よりも上方の高さ位置で互いに交差するように設けられていることが好ましい。これにより、支持強度をより一層高めることが可能となる。
【００１３】
また、前記太陽電池モジュールの取付架台において、前記第一斜め支持部材上に、前記太陽電池モジュールが取り付けられることが好ましい。これにより、前記第一斜め支持部材を、前記太陽電池モジュールを支持する部材として用いることが可能となる。
【００１４】
また、前記太陽電池モジュールの取付架台において、前記第一斜め支持部材に交差させて、前記太陽電池モジュールを支持する横桟が配設されてもよい。これによっても、前記第一斜め支持部材を、前記太陽電池モジュールを支持する部材として用いることが可能となる。
【００１５】
また、前記太陽電池モジュールの取付架台において、前記横桟は、隣り合う前記第一斜め支持部材間に架設され、前記斜め支持部材上に複数が平行に配設されていることが好ましい。これにより、前記太陽電池モジュールを、傾斜状態で安定的に支持することが可能となる。
【００１６】
また、前記太陽電池モジュールの取付架台において、前記設置面と、前記第一支持部材との間に少なくとも１．５ｍの高さを有する下部空間が設けられていることが好ましい。これにより、前記下部空間を人の通行や作業車等の走行が可能な空間とすることができ、前記太陽電池モジュールを設置する敷地を有効に活用することが可能となる。
【００１７】
前記の目的を解決するため、前記太陽電池モジュールの取付架台に複数の太陽電池モジュールを固定して構成する太陽光発電システムも本発明の技術的思想の範疇にある。これによれば、太陽電池モジュールの下部空間での作業性を確保しつつ太陽電池モジュールの支持強度を高めて、太陽電池モジュールを設置する敷地を有効に活用することが可能なる。
【発明の効果】
【００１８】
本発明に係る太陽電池モジュールの取付架台および太陽光発電システムよれば、太陽電池モジュールの下部空間での作業性を確保しつつ太陽電池モジュールの支持強度を高めて、コスト高を招くことなく、太陽電池モジュールを設置する敷地を有効に活用することが可能となる。
【図面の簡単な説明】
【００１９】
【図１】本発明の実施形態１に係る太陽電池モジュールの取付架台および太陽光発電システムを示す側面図である。
【図２】前記太陽電池モジュールの取付架台および太陽光発電システムを示す正面図である。
【図３】前記取付架台を用いた太陽光発電システムの他の例を示す斜視図である。
【図４】本発明の実施形態２に係る取付架台を示す斜視図である。
【図５】前記取付架台を用いた太陽光発電システムの一例を示す斜視図である。
【図６】前記取付架台を用いた太陽光発電システムの他の例を示す斜視図である。
【図７】前記取付架台を用いた太陽光発電システムのさらに他の例を示す斜視図である。
【図８】本発明の実施形態３に係る取付架台を示す斜視図である。
【図９】前記取付架台を用いた太陽光発電システムの一例を示す斜視図である。
【図１０】従来の太陽光発電システムを示す側面図である。
【発明を実施するための形態】
【００２０】
以下、本発明の実施形態に係る太陽電池モジュールの取付架台およびそれを用いた太陽光発電システムについて、図面を参照しつつ説明する。
【００２１】
（実施形態１）
図１および図２は本発明の実施形態１に係る太陽電池モジュール１の取付架台１０および太陽光発電システムを示し、図１は側面図、図２は正面図である。
【００２２】
なお、以下の説明においては、図１における図中左右方向を第一方向Ｘとし、図２における図中左右方向を第二方向Ｙとして説明する。また、図１に示される太陽電池モジュール１は、周縁部に設けられるフレーム等の部材を簡単のために省略して模式的に示している。
【００２３】
この太陽光発電システムは、複数の太陽電池モジュール１と、これらの太陽電池モジュール１を固定する取付架台１０とを備えて構成されている。複数の太陽電池モジュール１は、取付架台１０の上部に固定されている。取付架台１０は、例えば農業用地やカーポートなど、取付架台１０により形成される下部空間１１を、人や車などが通行することが前提となるような敷地に設置される。
【００２４】
太陽電池モジュール１は、例えば矩形状のものとされ、ガラスやフィルム等からなる受光面板と裏面板との間に図示しない複数の太陽電池セルを挟み込んで封止された構造を有している。太陽電池モジュール１の一辺は、第一方向Ｘに平行に配設される。また、この太陽電池モジュール１の一辺に交差する他辺は、第二方向Ｙに平行に配設される。
【００２５】
この太陽電池モジュール１は、敷地内に日射が必要な場合のソーラーシェアリングシステムに従来用いられる、寸法の小さい太陽電池モジュールであるほか、住宅用または産業用の太陽電池パネルとして一般的に用いられている太陽電池モジュールを用いることも可能であり、大きさ等は特に限定されない。
【００２６】
図１および図２に示すように、太陽電池モジュール１を支持する取付架台１０は、地中に埋設された土台２１と、土台２１の上に延びる支柱２２と、梁２３とを備えている。土台２１は、支柱２２の下端に接続されており、地中に埋設されて太陽電池モジュール１等の荷重を受ける。
【００２７】
支柱２２は複数本が所定の間隔で配設されており、支柱２２の上部には第一支持部材としての梁２３が接続されている。複数本の支柱２２は同等の高さを有しており、支柱２２の下端部は部分的に地中に埋設されている。これらの支柱２２は、梁２３より上方に突出させて設けられている。なお、支柱２２を支持する土台２１はその全体が地中に埋設されていなくともよく、例えば上端が地上に露出するように埋設されていてもよい。
【００２８】
例示の形態では、梁２３は、その長手方向が第一方向Ｘに平行となるように複数配設されている。また、各梁２３は、隣り合う複数の支柱２２間に架け渡すように配設されている。図１に示すように、梁２３は、支柱２２の高さ方向の途中部に接合されている。これらの複数の支柱２２は、第二方向Ｙに間隔をあけて配設されている。第一方向Ｘと第二方向Ｙは直交する。
【００２９】
例えば、太陽電池モジュール１を南面に向けて設置する場合、第一方向Ｘは南北方向であって図１は東側面図であり、第二方向Ｙは東西方向であって図２は北側面図となる。敷地条件等に応じて、取付架台１０は第一方向Ｘおよび第二方向Ｙを好ましい向きに設定することができる。
【００３０】
太陽電池モジュール１の取付架台１０が農業用地に設置されて、ソーラーシェアリング型の太陽光発電システムに適用されるとき、農業に支障のない高さが求められる。図１に示すように、トラクターなどの農業用機械４０が取付架台１０の下部空間１１を走行することとなる。下部空間１１は、このような農業用機械４０がスムーズに走行し得るように、地面３０から少なくとも２ｍの高さを有することが好ましい。また、人が作業するためには、少なくとも１．５ｍの高さを有することが好ましい。
【００３１】
本実施形態では、梁２３は、下部空間１１に要求される高さを考慮して、高さＨ１が２ｍの位置に配設されている。この場合、梁２３は、支柱２２における高さ２ｍの位置に接合されている。各部材の接合には適宜の接合プレート等が用いられてもよく、接合方法は特に限定されない。また、梁２３は、複数の支柱２２に架け渡して配設されている。これにより、梁２３の上方に支柱２２を突出させて、梁２３と支柱２２とが接合されている。
【００３２】
図１に示すように、取付架台１０には、さらに、支柱２２の上端部から梁２３の方向に延びる第一斜め支持部材２５が備えられている。第一斜め支持部材２５は、上端が支柱２２の上端部に、下端が梁２３の長手方向（第一方向Ｘ）の途中部に接合されて、梁２３より上方の空間に傾斜した状態で設けられている。
【００３３】
各支柱２２に対して、第一斜め支持部材２５は共通の傾斜角度で備えられている。これにより、梁２３の上部架構には、梁２３、支柱２２の上部、および第一斜め支持部材２５によるトラスが設けられている。
【００３４】
第一斜め支持部材２５の傾斜角度は、特に限定されないが、太陽電池モジュール１の受光面の傾斜角度に合致させて設けることで、第一斜め支持部材２５を太陽電池モジュール１の支持部材として兼用することができる。
【００３５】
太陽電池モジュール１の第一方向Ｘにおける水平面に対する傾斜角度（梁２３に対する太陽電池モジュール１の受光面のなす角度）は一定であり、概ね５度〜１０度とされることが好ましい。太陽電池モジュール１の受光面の傾斜が０度に近い場合は、雨水が流れ落ちずに受光面に残るようになり、受光面に汚れが堆積して発電量の低下を引き起こすが、ある程度傾斜させることで汚れの堆積を抑制することができる。
【００３６】
また、太陽電池モジュール１を支持する横桟２４は、長手方向が第二方向Ｙに沿うように複数配設されている。梁２３と横桟２４とは互いに交差する方向に設けられている。複数の横桟２４は、第一方向Ｘには、間隔をあけて並べられている。
【００３７】
図１および図２に示すように、横桟２４は、第一斜め支持部材２５に交差させて備えられ、太陽電池モジュール１の背面に配設されている。また、横桟２４は、隣り合う第一斜め支持部材２５間に架設されている。
【００３８】
横桟２４は、第一横桟２４１と第二横桟２４２とを含んで構成され、太陽電池モジュール１を支持する高さが異なる。第一横桟２４１と第二横桟２４２とは、第二方向Ｙに沿って互いに平行に配置されている。第一横桟２４１は、傾斜した太陽電池モジュール１の谷側に配設され、第二横桟２４２は太陽電池モジュール１の山側に配置されている。いずれも、太陽電池モジュール１を裏面側から支持するものとなされる。
【００３９】
また、図２に示すように、取付架台１０には、横桟２４の長手方向（第二方向Ｙ）において、梁２３よりも上方位置に第二斜め支持部材（ブレース）２６が備えられている。第二斜め支持部材２６は、一端が支柱２２の上端部に、他端が他の支柱２２の高さ方向の途中部における梁２３の高さＨ１以上の高さ位置に接合されている。
【００４０】
例示の形態では、第二斜め支持部材２６は、隣り合う支柱２２間に複数配設されており、梁２３の高さＨ１よりも上方の高さ位置で互いに交差させて設けられている。これにより、隣り合う支柱２２間には、梁２３よりも上方となる高さ位置に、２本の第二斜め支持部材２６が略Ｘ字状に配設されている。
【００４１】
このように構成されることで、取付架台１０は、複数の太陽電池モジュール１を、太陽電池モジュール１の受光面が第一方向Ｘに対して傾斜させた状態で支持する。取付架台１０において、地面（設置面）３０と、地面３０に最も近い部材である梁２３との間には、人が通行し得る少なくとも２ｍの高さ（Ｈ１）を有する下部空間１１が設けられている。梁２３より下方には、何らの支持部材も存在しないので、梁２３の高さＨ１は、すなわち下部空間１１の高さとなる。
【００４２】
太陽電池モジュール１が設置された取付架台１０の下部空間１１は、その高さが十分に確保されて、人の通行だけでなく農業用機械４０等の走行も十分に可能であり、敷地を有効に活用することができる。しかも、取付架台１０は太陽電池モジュール１を設置した状態で、太陽光発電システムとしての全体高さＨ２を低く抑えることができる。
【００４３】
また、例えば取付架台１０に設置された太陽電池モジュール１同士の隙間に、透明ガラス板等の透光性板材を嵌め込むことで、取付架台１０の下部空間１１を雨水の影響なく利用することが可能な空間とすることもできる。下部空間１１の高さ（Ｈ１）は少なくとも２ｍ確保されているので、取付架台１０を設置する敷地の用途は農業用地に限られず、カーポートやアトリウムなど、作業可能な下部空間１１が必要とされるような多様な目的に適用することができる。
【００４４】
本実施形態を示す図１と、従来の太陽光発電システムを示す図１０とを比較して、図１に示す取付架台１０は、梁２３の高さ（Ｈ１）を従来の横架材１０３の高さ（ｈ１）よりも格段に低くすることができる。また、この取付架台１０を用いて太陽電池モジュール１を設置することで、太陽電池モジュール１の設置高さをそれほど高くする必要性がなくなり、架台構造を簡単にすることができるとともに、太陽光発電システムとして全体高さＨ２を従来のシステム全体高さｈ２よりも大幅に低くすることが可能となる。
【００４５】
特に、図１に示す太陽光発電システムにおいては、梁２３の高さＨ１を、人の身長より高い、例えば農業用機械４０の高さに合わせて設定することが可能となる。梁２３の高さＨ１および全体高さＨ２を抑えることが可能となるので、支柱２２が受け持つ支持強度を低減することができる。また、全体高さＨ２が抑えられることで、地面（設置面）３０に形成される影の面積も低減され、下部空間１１における影の影響を小さくすることが可能となる。
【００４６】
取付架台１０は、第二方向Ｙに沿って複数の第二斜め支持部材２６を備えるとともに、第一方向Ｘには梁２３の上部に複数のトラスを備えている。このため、取付架台１０としての十分な支持強度を具備させることができ、下部空間１１での作業性を確保しつつ、支柱２２の断面寸法を小さくしたり、支柱２２の配置スパンを拡大したりすることが可能となって、太陽光発電システムにかかる設置コストを大きく低減することが可能となる。
【００４７】
なお、太陽電池モジュール１の設置場所の周辺状況や、敷地の用途（農業用地である場合には栽培作物の種類）などに応じて、必要とされる太陽電池モジュール１の設置数および所望の日射量等に対応させた太陽電池モジュール１の配置形態をとることが可能である。
【００４８】
図３は、実施形態１に係る取付架台１０を用いた太陽光発電システムの他の例を模式的に示す斜視図である。例えば、図３に示すように、太陽光発電システムとして、取付架台１０には、より大きな受光面を有する太陽電池モジュール１が、複数の横桟２４に対して取り付けられる構成であってもよい。
【００４９】
この場合、太陽電池モジュール１は、図２に示す太陽電池モジュール１よりも第二方向Ｙに長く形成されており、その長手方向が第二方向Ｙに平行に配設されている。取付架台１０は、このような大きさを有する複数の太陽電池モジュール１であっても、安定的に設置することが可能であり、かつ作業可能な下部空間１１を確保することができる。
【００５０】
（実施形態２）
本発明に係る太陽電池モジュール１の取付架台１０および太陽光発電システムは、前記実施形態以外にも、他の様々な形態により実施することが可能である。
【００５１】
前記実施形態１では、取付架台１０として、主に、支柱２２、梁２３、横桟２４、第一斜め支持部材２５および第二斜め支持部材２６を備えて構成されていた。本発明に係る取付架台１０としては、これらの部材を全て備えて構成されるに限られない。以下の実施形態２および３に係る説明では、特に前記実施形態１と相違する構成について詳述するとともに、前記実施形態１と共通する構成については共通の参照符号を用いて示すことでその詳細な説明を省略する。
【００５２】
図４は、本発明の実施形態２に係る取付架台１０を模式的に示す斜視図である。また、図５は、実施形態２に係る取付架台１０を用いた太陽光発電システムの一例を示す斜視図、図６は前記太陽光発電システムの他の例を示す斜視図、図７は前記太陽光発電システムのさらに他の例を示す斜視図である。
【００５３】
この実施形態２に係る取付架台１０は、支柱２２、梁２３、第一斜め支持部材２５、および第二斜め支持部材２６を備えて構成されている。すなわち、太陽電池モジュール１の取付架台１０としては、前記実施形態１に示した横桟２４が必ずしも備えられなくともよい。支柱２２を支持する土台（２１）は、地中に埋設されるものとして図示省略している。
【００５４】
図４に示すように、複数の支柱２２間には、第一方向Ｘに沿って梁２３が配設され、各支柱２２に接合されている。支柱２２の上部から梁２３の方向には、第一斜め支持部材２５が備えられて、梁２３より上方において傾斜状態で配設されている。また、第二方向Ｙには、隣り合う支柱２２間に２本の第二斜め支持部材２６が、略Ｘ字状に交差させて配設されている。
【００５５】
これにより、取付架台１０は、第一方向Ｘには、第一斜め支持部材２５を備えることで、梁２３の上部架構に、梁２３、支柱２２の上部、および第一斜め支持部材２５によってトラスが構成されている。また、第二方向Ｙには、交差する第二斜め支持部材２６が配設されて、隣り合う支柱２２間の変形を抑え、水平力に抗するものとされている。
【００５６】
図５に示すように、取付架台１０の梁２３上には、太陽電池モジュール１を所望の傾斜角度で支持する適宜の取付部材２７が設けられ、隣り合う２本の梁２３間に太陽電池モジュール１が取り付けられる。梁２３より下方には、何らの支持部材も存在しないので、下部空間１１の高さを十分に確保することができる。これにより、取付架台１０を用いた太陽光発電システムとして、複数の太陽電池モジュール１を一定の傾斜角度で支持しつつ、多様な目的に適用することが可能な下部空間１１を形成することができる。
【００５７】
取付架台１０においては、第一斜め支持部材２５を、太陽電池モジュール１を支持する部材として用いることも可能である。例えば、図６に示すように、第一斜め支持部材２５は、太陽電池モジュール１の受光面の傾斜角度に対応させて梁２３上に設けられている。太陽電池モジュール１は、複数の第一斜め支持部材２５に対して架け渡して固定されている。このように、第一斜め支持部材２５が太陽電池モジュール１を支持する部材を兼ねるので、取付架台１０を構成する部品点数を低減することが可能となる。
【００５８】
また、太陽電池モジュール１は、図５に示すように取付部材２７により支持される構成と、図６に示すように第一斜め支持部材２５により支持される構成との複合形態により設置されてもよい。この場合、図７に示すように、梁２３上の取付部材２７間に太陽電池モジュール１が備えられるとともに、第一斜め支持部材２５間にも同様に、太陽電池モジュール１が備えられる。これにより、取付架台１０は、より多くの太陽電池モジュール１を支持して、太陽光発電システムを構成するものとなる。
【００５９】
本実施形態にあっても、太陽光発電システムの全体高さが低く抑えられるとともに、取付架台１０の下部空間１１の高さが十分に確保され、人および農業用機械等の走行も十分に可能なものとすることができる。
【００６０】
（実施形態３）
図８は、本発明の実施形態３に係る取付架台１０を模式的に示す斜視図であり、図９は、実施形態３に係る取付架台１０を用いた太陽光発電システムの一例を示す斜視図である。
【００６１】
前記実施形態２に係る取付架台１０は、主に支柱２２、梁２３、第一斜め支持部材２５、および第二斜め支持部材２６を備えて構成されていた。これに対して、実施形態３に係る取付架台１０では、さらに第二の梁２８を備えて構成されている。
【００６２】
図８に示すように、第二の梁２８は、第一方向Ｘに設けられる梁２３に交差して設けられている。また、第二の梁２８は、複数の梁２３間に架け渡されるように第二方向Ｙに沿って配設されている。
【００６３】
取付架台１０は、第一方向Ｘには、支柱２２および梁２３に接合された第一斜め支持部材２５を備えている。梁２３上には、梁２３、支柱２２の上部、および第一斜め支持部材２５による安定したトラスが構成されている。また、第二方向Ｙには、複数の第二斜め支持部材２６および第二の梁２８が、支柱２２間の変形を抑えて水平力に抗する。
【００６４】
これにより、取付架台１０において、梁２３および第二の梁２８で構成される水平構面が安定的なものとされるとともに、複数の支柱２２および梁２３で構成される垂直構面が、梁２３上の第一斜め支持部材２５により外力に対して高い強度を有するものとされている。また、梁２３より下方には、何らの支持部材も存在しないので、下部空間１１の高さを確保することができる。
【００６５】
図９に示すように、太陽光発電システムとして、取付架台１０の第一斜め支持部材２５には、太陽電池モジュール１を設置することが可能である。また、梁２３に太陽電池モジュール１の取付部材２７を設けて、さらに多くの太陽電池モジュール１を設置することも可能とされる。
【００６６】
本実施形態においても、太陽光発電システムの全体高さが低く抑えられるとともに、取付架台１０の下部空間１１には十分な高さが確保されて、人および農業用機械等の走行にも対応可能なものとすることができる。
【００６７】
以上のように、前記実施形態に係る太陽電池モジュール１の取付架台１０および太陽光発電システムは、太陽電池モジュール１が設置される敷地での作業性を確保するとともに、当該敷地を有効に活用しつつ、太陽電池モジュール１による発電を行うことが可能となる。
【００６８】
なお、前記の太陽電池モジュール１の取付架台１０および太陽光発電システムはすべての点で例示であって、限定的な解釈の根拠となるものではない。本発明の技術的範囲は、前記実施形態のみによって解釈されるものではなく、特許請求の範囲に基づくものとされる。また、本発明の技術的範囲には、特許請求の範囲と均等の意味および範囲内でのすべての変更が含まれる。
【００６９】
例えば、図１等では地面３０に対して取付架台１０の支柱２２を垂直方向に設置する形態を示しているが、本発明はこのような形態に限定されるものではなく、敷地が傾斜している場合であっても好適に実施することができる。太陽光発電システムとしては、前記太陽電池モジュール１を備えた取付架台１０を配列して多様な形態により構成することができる。
【産業上の利用可能性】
【００７０】
本発明は、例えば農業用地等の作業可能な下部空間を必要とする場所に太陽電池モジュールを設置する場合に好適に利用可能である。
【符号の説明】
【００７１】
１    太陽電池モジュール
１０  取付架台
１１  下部空間
２１  土台
２２  支柱
２３  梁（第一支持部材）
２４  横桟
２４１  第一横桟
２４２  第二横桟
２５  第一斜め支持部材
２６  第二斜め支持部材
２７  取付部材
２８  第二の梁
３０  地面（設置面）
４０  農業用機械
Ｘ    第一方向
Ｙ    第二方向
【図１】
2020054017.tif 000003
【図２】
2020054017.tif 000004
【図３】
2020054017.tif 000005
【図４】
2020054017.tif 000006
【図５】
2020054017.tif 000007
【図６】
2020054017.tif 000008
【図７】
2020054017.tif 000009
【図８】
2020054017.tif 000010
【図９】
2020054017.tif 000011
【図１０】
2020054017.tif 000012